(57)【特許請求の範囲】
【請求項１】
所定のピッチ間隔に配置された芯材鉄骨を軸組とし、この軸組用芯材鉄骨の外面側に金属板が固定されて平面視ロ字形態に配置され、対向する一対の壁面には開口部が形成された四枚の壁構造体、天井構造体、及び床構造体をラーメン構造に組立てることにより内部に複数個の納骨仏壇収容棚の設置空間を形成するように構成された金属製第１地下ユニットと、同じく所定のピッチ間隔に配置された芯材鉄骨を軸組とし、この軸組用芯材鉄骨の外面側に金属板が固定された三枚の壁構造体を平面視コの字形態に配置して内部に上方開放のドライエリアを形成するようにラーメン構造に構成された金属製第２地下ユニットと、同じく所定のピッチ間隔に配置された芯材鉄骨を軸組とし、この軸組用芯材鉄骨の外面側に金属板が固定されて平面視コの字形態に配置された三枚の壁構造体、一部に出入口が形成された天井構造体、及び床構造体をラーメン構造に組立てることにより内部に前記出入口に連なる階段室を形成するように構成された金属製第３地下ユニットと、同じく所定のピッチ間隔に配置された芯材鉄骨を軸組とし、この軸組用芯材鉄骨の外面側に金属板が固定されて平面視ロ字形態に配置された四枚の壁構造体、一部に出入口部が形成された天井構造体、及び床構造体をラーメン構造に組立てることにより内部に多目的ホール及び前記出入口部に連なる階段室を形成するように構成された金属製第４地下ユニットと、の４種の金属製地下ユニットが各別に工場生産されており、
これら４種の金属製地下ユニットのうち、第１地下ユニットの１つ又は複数個と、第２及び第３地下ユニットの組合せ、第２及び第４地下ユニットの組合せ、第３及び第４地下ユニットの組合せ、第２ないし第４地下ユニットの組合せのいずれか１組とを選択して建設現場に搬入した上、各地下ユニットを地下部に埋設して互いに接合連結することにより、複数個の納骨仏壇容棚の設置空間、歩行通路と、ドライエリア、多目的ホールのうちの少なくとも一つと、少なくとも１つの階段室と、を備える地下納骨堂躯体が構築され、
この地下納骨堂躯体を構成する第１地下ユニット及びこの第１地下ユニットに選択的に接合連結された第２ないし第４の組合せ地下ユニットにおける各構造体の金属板外面部にはコンクリート壁が被覆形成されていることを特徴とするユニット式金属製地下納骨堂。
【請求項２】
前記第１地下ユニット及びこの第１地下ユニットに選択的に接合連結された組合せ地下ユニットの天井構造体の金属板の外面部に被覆形成されたコンクリート壁の上部には、建設現場の掘削土が埋め戻し被覆されている請求項１に記載のユニット式金属製地下納骨堂。
【請求項３】
前記第２地下ユニット及び第３地下ユニットの床面部の少なくともいずれかには、強制排水設備が設置されている請求項１に記載のユニット式金属製地下納骨堂。
【請求項４】
前記第４地下ユニットが選択された場合、この第４地下ユニットにおける天井構造体の出入口部の上方地表面上には、前記階段室に連なる地上階段室及び出入り用開口部を有する堂建物が建立されている請求項１又は２に記載のユニット式金属製地下納骨堂。
【請求項５】
前記第１地下ユニットとしては、複数個の納骨仏壇収容棚の設置空間の一端部側に階段室及びこの階段室に接続される納骨堂管理人室が一体に形成されるように構成されたものも準備されている請求項１又は２に記載のユニット式金属製地下納骨堂。
【請求項６】
前記第１地下ユニット及び第４地下ユニットの内部には、天井構造体と床構造体とを強度的に一体連結する複数の補強用鉄骨が設けられている請求項１、２または４のいずれかに記載のユニット式金属製地下納骨堂。
【発明の詳細な説明】
【技術分野】
【０００１】  本発明は、祖先の霊を敬うべく主として寺院の敷地内に構築され、不特定多数の尊家の納骨仏壇を護持管理するように構成される納骨堂に関する。詳しくは、特に、都市部等の人口密集地にある寺院等のように、敷地面積が狭小でありながらも非常に多くの尊家の納骨仏壇の護持管理が必要とされる場合に好適なユニット式金属製地下納骨堂に関するものである。
【背景技術】
【０００２】  従来より周知の納骨堂は、寺院等が保有する敷地内の地表面上（空地）に、荘厳な外観を持つ木造や鉄骨造りあるいは鉄筋鉄骨造りの納骨堂躯体を構築し、この納骨堂躯体の内部空間に複数列、複数個の納骨仏壇収容棚を設置し、これら納骨仏壇収容棚の単位棚を多数の尊家に分譲或いは貸与するとともに、各単位棚には、尊家毎の要望に対応して、例えば家紋を付けたり、各種の仏具を完備するなどした納骨仏壇を収容して、多数の納骨仏壇を永大管理システムにより、護持管理するようになされているのが一般的であった。
【発明の開示】
【発明が解決しようとする課題】
【０００３】  しかし、寺院等が保有する敷地内の地表面上に納骨堂躯体を構築する従来周知の納骨堂の場合、特に、都市部のような狭小な敷地面積を保有するに過ぎない条件下においては、多数の参拝者のための歩行スペース、待機スペース、駐車スペース等を確保する必要性があることから、納骨堂躯体自体の大きさ（容積）には自ずと限界があって、将来的に増加することが想定される分譲あるいは貸与の申し込みに対して十分に対応することができないという問題があった。【０００４】  また、地表面上に構築された納骨堂の場合は、四季の移り変わりによる大きな温度や湿度等の環境変化があった際、各納骨仏壇への献花や供え物への悪影響、さらには、参拝者等に与える不快感等を抑制する対応策として、大容量の空調（冷暖房）設備を装備し、この空調設備を常時運転しなければならないために、納骨堂躯体の大きさの割りにランニングコストの上昇は避けられないという問題もあった。【０００５】  本発明は上記のような実情に鑑みてなされたもので、寺院等が保有する限られた敷地面積を有効活用して非常に大きな躯体容積を確保することができるとともに、空調等に要するランニングコストの低減を図れ、しかも、敷地の形態に対応して種々のバリエーションの納骨堂躯体を短期間のうちに経済的に、かつ、高耐久性に構築することができるユニット式金属製地下納骨堂を提供することを目的としている。
【課題を解決するための手段】
【０００６】  上記目的を達成するために案出された本発明に係るユニット式金属製地下納骨堂は、所定のピッチ間隔に配置された芯材鉄骨を軸組とし、この軸組用芯材鉄骨の外面側に金属板が固定されて平面視ロ字形態に配置され、対向する一対の壁面には開口部が形成された四枚の壁構造体、天井構造体、及び床構造体をラーメン構造に組立てることにより内部に複数個の納骨仏壇収容棚の設置空間を形成するように構成された金属製第１地下ユニットと、同じく所定のピッチ間隔に配置された芯材鉄骨を軸組とし、この軸組用芯材鉄骨の外面側に金属板が固定された三枚の壁構造体を平面視コの字形態に配置して内部に上方開放のドライエリアを形成するようにラーメン構造に構成された金属製第２地下ユニットと、同じく所定のピッチ間隔に配置された芯材鉄骨を軸組とし、この軸組用芯材鉄骨の外面側に金属板が固定されて平面視コの字形態に配置された三枚の壁構造体、一部に出入口が形成された天井構造体、及び床構造体をラーメン構造に組立てることにより内部に前記出入口に連なる階段室を形成するように構成された金属製第３地下ユニットと、同じく所定のピッチ間隔に配置された芯材鉄骨を軸組とし、この軸組用芯材鉄骨の外面側に金属板が固定されて平面視ロ字形態に配置された四枚の壁構造体、一部に出入口部が形成された天井構造体、及び床構造体をラーメン構造に組立てることにより内部に多目的ホール及び前記出入口部に連なる階段室を形成するように構成された金属製第４地下ユニットと、の４種の金属製地下ユニットが各別に工場生産されており、
これら４種の金属製地下ユニットのうち、第１地下ユニットの１つ又は複数個と、第２及び第３地下ユニットの組合せ、第２及び第４地下ユニットの組合せ、第３及び第４地下ユニットの組合せ、第２ないし第４地下ユニットの組合せのいずれか１組とを選択して建設現場に搬入した上、各地下ユニットを地下部に埋設して互いに接合連結することにより、複数個の納骨仏壇容棚の設置空間、歩行通路と、ドライエリア、多目的ホールのうちの少なくとも一つと、少なくとも１つの階段室と、を備える地下納骨堂躯体が構築され、
この地下納骨堂躯体を構成する第１地下ユニット及びこの第１地下ユニットに選択的に接合連結された第２ないし第４の組合せ地下ユニットにおける各構造体の金属板外面部にはコンクリート壁が被覆形成されていることを特徴としている。
【発明の効果】
【０００７】  上記のごとき特徴構成を有する本発明によれば、次に列挙するような多くの効果を奏する。
（１）従来、地表面上に構築していた納骨堂躯体を地下に移行して構築することによって、特に、都市部の寺院等のように、自己保有する敷地面積が狭い場合、その限られた敷地面積を有効活用して、多数の参拝者のための歩行スペース、待機スペース、駐車スペース等は地上に確保しつつ、非常に大きな容積を持つ納骨堂躯体を確保することができる。これによって、限られた敷地内に非常に多数の尊家の納骨仏壇を収容して護持管理することが可能となる。
（２）納骨堂躯体が、四季を通じて温度、湿度等の環境変化が非常に少なく安定している地下に構築されるものであるから、地表面上に構築される場合に比べて、冷暖房等の空調に要するエネルギー消費を節減して大きな容積を確保できる割にランニングコストを著しく低減することができる。
（３）しかも、納骨堂躯体を構成する第１〜第４の地下ユニットをそれぞれ工場において、予め標準寸法、標準形状に各別に生産しているので、敷地の大きさや形態に応じて、４種の地下ユニットを適宜に選別して組合せることにより、隣接地等へ悪影響を及ぼすことなく、敷地面積を最大限有効に活用しながら、実際の敷地の大きさや形態に適合する種々のバリエーションの納骨堂躯体を構築することができる。
（４）また、前記４種の地下ユニットから選択した複数個の地下ユニットを建設現場に搬入し、地下部に埋設して互いに接合連結するだけの少ない工事手数でよいため、所望の地下納骨堂躯体を短い工期で効率的、経済的に構築することができる。
（５）そのうえ、地下に構築された納骨堂躯体には、通常の参拝のための階段室のほかに、ドライエリアを備えさせることが可能であるため、地下でありながらも、地上の納骨堂と変わらない優れた通風性、採光性並びに開放感を実現できるとともに、そのドライエリアを緊急時の避難脱出口として有効利用することができる。
（６）加えて、各地下ユニットは、壁構造体、及び／又は天井構造体、及び床構造体を工場生産の段階でラーメン構造に構成されているので、地下に埋設した状態で各地下ユニットに加わる大きな土圧、水圧、さらには地震等による動的荷重等の負荷荷重に対しても十分に耐えるだけの剛性強度を確保し、耐震性及び耐久性の優れた地下納骨堂とすることができる。
（７）さらに、各地下ユニットにおける金属板の外面部にコンクリート壁を被覆形成することにより、芯材鉄骨や金属板の防腐、防錆、水漏れ対策を確実なものとでき、より一層剛性、耐久性を高めることができると同時に、耐浮力性能の向上も図ることができる。【０００８】  以上の（１）〜（７）の相乗により、本発明は、寺院等が保有する限られた敷地面積を有効活用して非常に大きな躯体容積を確保することができるとともに、空調等に要するランニングコストの低減を図れ、しかも、敷地の形態に対応して種々のバリエーションの納骨堂躯体を短期間のうちに経済的に、かつ、高耐久性に構築することができるユニット式金属製地下納骨堂を提供することに成功したのである。【０００９】  本発明に係るユニット式金属製地下納骨堂において、前記第１地下ユニット及びこの第１地下ユニットに選択的に接合連結された組合せ地下ユニットの天井構造体の金属板の外面部に被覆形成されたコンクリート壁の上部には、建設現場の掘削土が埋め戻し被覆されていることが好ましい（請求項２）。
この場合は、地下納骨堂躯体が埋設されている区域の地表面が掘削土で覆われているので、この掘削土部分に、例えば花や芝生等を植生することにより、自然環境を保ちつつ納骨堂躯体の上方部への人等の侵入をできるだけ抑制して、祖先の霊を敬う心を尊ぶと共に、納骨堂躯体へ無用な負荷荷重が加わることを回避することができる。【００１０】  また、本発明に係るユニット式金属製地下納骨堂において、前記第２地下ユニット及び第３地下ユニットの少なくともいずれかには、強制排水設備が設置されていることが望ましい（請求項３）。
この場合は、降雨時に、上方開放のドライエリア及び／又は階段室の出入口から地下ユニット内に降り注ぐ雨水を強制排水して、第１地下ユニット内部の納骨仏壇収容棚の設置空間や歩行通路に雨水が流れ込む不都合を避けることができる。【００１１】  また、本発明に係るユニット式金属製地下納骨堂において、前記第４地下ユニットが選択された場合、この第４地下ユニットにおける天井構造体の出入口部の上方地表面上には、前記階段室に連なる地上階段室及び出入り用開口部を有する堂建物が建立されていることが好ましい（請求項４）。
この場合は、例えば六角堂等の堂建物が地表面上に建立されていることにより、参拝者に零験あらたかな心を植えつけるとともに、納骨堂の存在を知らせることができる。【００１２】  また、本発明に係るユニット式金属製地下納骨堂において、前記第１地下ユニットとしては、複数個の納骨仏壇収容棚の設置空間の一端部側に階段室及びこの階段室に接続される納骨堂管理人室が一体に形成されるように構成されたものも準備されていることが好ましい（請求項５）。
この場合は、敷地の大きさや形態に対応可能な納骨堂躯体のバリエーションを一層拡大することができるだけでなく、広大な納骨堂を維持あるいは保安管理したり、多くの参拝者を案内したりするための管理人の常駐も可能で多数の尊家の納骨仏壇の護持管理機能を高めやすい。【００１３】  さらに、本発明に係るユニット式金属製地下納骨堂において、前記第１地下ユニット及び第４地下ユニットの内部には、天井構造体と床構造体とを強度的に一体連結する複数の補強用鉄骨が設けられていることが好ましい（請求項６）。
この場合は、納骨仏壇収容棚の設置空間及び多目的ホールの一部の容積を犠牲にするだけで、納骨堂躯体全体の耐圧強度を一層高めて耐久性のより一層の向上を図ることができる。
【図面の簡単な説明】
【００１４】
【図１】本発明に係るユニット式金属製地下納骨堂の第１実施形態を示す概略平面図である。
【図２】第１実施形態におけるユニット式金属製地下納骨堂躯体の縦断側面図である。
【図３】第１実施形態におけるユニット式金属製地下納骨堂躯体の横断平面図である。
【図４】図２のＸ−Ｘ線に沿う位置での縦断正面図である。
【図５】第１実施形態におけるユニット式金属製地下納骨堂躯体を構成する壁、天井、及び床構造体の構成を説明する要部の拡大断面図である。
【図６】本発明に係るユニット式金属製地下納骨堂の第２実施形態を示す概略横断平面図である。
【図７】本発明に係るユニット式金属製地下納骨堂の第３実施形態を示す概略横断平面図である。
【図８】本発明に係るユニット式金属製地下納骨堂の第４実施形態を示す概略横断平面面である。
【図９】本発明に係るユニット式金属製地下納骨堂の第５実施形態を示す概略横断平面面である。
【発明を実施するための最良の形態】
【００１５】  以下、本発明の実施の形態を、図面を参照しながら説明する。
＜第１実施形態＞
図１は、本発明に係るユニット式金属製地下納骨堂の第１実施形態を示す概略平面図である。図２及び図３は、同ユニット式金属製地下納骨堂躯体の縦断側面図及び横断平面図である。また、図４は、同ユニット式金属製地下納骨堂躯体の図２のＸ−Ｘ線に沿う位置での縦断正面図である。【００１６】  第１実施形態のユニット式金属製（具体的には、鋼製であり、以下、「鋼製」という）地下納骨堂は、工場において各別に所定の形状に組立て生産された二つの鋼製第１地下ユニット１，１、鋼製第２地下ユニット２、鋼製第３地下ユニット３、及び鋼製第４地下ユニット４の４種の鋼製地下ユニットを、例えばトラック輸送により、寺院が保有する敷地等の建設現場に搬入した上、建設現場を掘削して形成した掘削穴（地下部）内の中央部に第４地下ユニット４を配置するとともに、この第４地下ユニット４の両側に二つの第１地下ユニット１，１を、かつ、この二つの第１地下ユニット１，１の各外側に第２地下ユニット２及び第３地下ユニット３を配置（埋設）して隣接する地下ユニット同士を相互に接合連結することにより、所望の容積を有する平面視で直線状の地下納骨堂躯体Ａが構築され完工されたものである。【００１７】  鋼製第１地下ユニット１は、平面視ロ字形態に配置され、桁行方向で対向する一対の壁面には開口部１ａ，１ｂが形成された四枚の壁構造体１０、天井構造体１１、及び床構造体１２を工場生産段階でラーメン構造に組立てることにより、内部空間に複数列かつ複数段、例えば４列かつ２段といった複数個の納骨仏壇収納棚１３を設置し、各列間には参拝者用の歩行通路１４が形成されるように構成されている。【００１８】  鋼製第２地下ユニット２は、平面視コ字形態に配置された三枚の壁構造体２０を工場生産段階でラーメン構造に組立てることにより、内部に上方開放のドライエリア２１を形成されるように構成されている。この鋼製第２地下ユニット２におけるドライエリア２１の床面部には、雨水等を外部排水溝などに強制排水する貯水槽付の強制排水設備２２が設置されている。【００１９】  鋼製第３地下ユニット３は、平面視コ字形態に配置された三枚の壁構造体３０、天井構造体３１、及び床構造体３２を工場生産段階でラーメン構造に組立てることにより、内部に階段室３３を形成するように構成されている。この鋼製第３地下ユニット３における階段室３３には、天井構造体３１の一部に形成された出入口部３４に連ねて地上と地下とを結ぶ昇降用の鋼製階段３５が固定的に取り付けられている。また、この鋼製第３地下ユニット３における床構造体３２の上面（床面）部には、前記出入口部３４から降り込む雨水等を外部排水溝などに強制排水する貯水槽付の強制排水設備３６が設置されている。【００２０】  鋼製第４地下ユニット４は、平面視ロ字形態に配置され、桁行方向で対向する一対の壁面には開口部４ａ，４ｂが形成された四枚の壁構造体４０、天井構造体４１、及び床構造体４２を工場生産の段階でラーメン構造に組立てることにより、内部空間に、御内陣や御内仏等の荘厳具を設置したり、例えば長椅子など参拝者の休息用具を設置したりするなど多目的に利用可能な多目的ホール４３及び前記天井構造体４１の一部に形成された出入口部４４に��なる階段室４５並びに参拝者用の歩行通路４６が形成されるように構成されている。この鋼製第４地下ユニット４における階段室４５には、前記出入口部４４に連ねて地上と地下とを結ぶ昇降用の鋼製下部階段４７が固定的に取り付けられている。また、この鋼製第４地下ユニット４における壁構造体４０の対向壁面に形成された開口部４ａ，４ｂと前記第１地下ユニット２における壁構造体２０の対向壁面に形成された開口部１ａ，１ｂとにより、第１地下ユニット１における歩行通路１４と第４地下ユニット４における歩行通路４６とが接続されている。【００２１】  また、前記鋼製第４地下ユニット４における天井構造体４１の出入口部４４の上方地表面上には、前記階段室４５内の下部階段４７に続く上部階段５１が装備された地上階段室５２及びこの地上階段室５２への出入り用開口部５３を有する、例えば六角堂等の堂建物５が建立されている。この堂建物５は、元々地上に構築された納骨堂の近傍位置に設置されている、例えば鉄筋コンクリート造りの堂建物をそのまま転用してもよく、また、各地下ユニット１〜４と同様に、芯材鉄骨と鋼板とにより工場で予め製作した鋼製堂建物を建設現場に搬入して第４地下ユニット４の上方地表面上に固定設置してもよい。【００２２】  上述のような４種の鋼製第１〜第４地下ユニット１，２，３，４により構築される地下納骨堂躯体Ａにおける壁構造体１０，２０，３０，４０、天井構造体１１，３１，４１、及び床構造体１２，３２，４２の全外面部には、コンクリート壁６が被覆形成されている。このコンクリート壁６のうち、第１、第３及び第４地下ユニット１，３，４の床構造体１２，３２，４２の外面（下面）部を被覆するコンクリート壁６０は、地下納骨堂躯体Ａの構築前において建設現場を掘削して形成された掘削穴の底部を敷均した上、コンクリートの打設により形成される基礎コンクリートからなり、壁構造体１０，２０，３０，４０の外面部を被覆するンクリート壁６１及び天井構造体１１，３１，４１の外面（上面）を被覆するコンクリート壁６２は、地下納骨堂躯体Ａの構築後において現場打設されるコンクリートにより一体形成される。【００２３】  さらに、前記コンクリート壁６のうち、天井構造体１１，３１，４１の外面（上面）を被覆するコンクリート壁６２の上部には、建設現場の掘削土７が埋め戻し被覆されており、この埋め戻し掘削土７部分に、例えば花や芝生等を植生することにより、自然環境を保ちつつ、納骨堂としての荘厳さが発現されるようになされている。【００２４】  そして、上記鋼製第１〜第４地下ユニット１，２，３，４における壁構造体１０，２０，３０，４０、天井構造体１１，３１，４１、及び床構造体１２，３２，４２はそれぞれ、図５に示すように、所定のピッチ間隔で同一平面上に並列配置されたＴ型鋼、Ｈ型鋼やチャンネル鋼等の芯材鉄骨８を軸組とし、これら軸組用芯材鉄骨８の外面側に鋼板９を固定して構成されているとともに、複数の芯材鉄骨８のフランジ部８ａに木製下地材１５を介して壁材、天井材、床材等の内装材１６が固定され、かつ、内装材１６と鋼板９との間の空間で芯材鉄骨８を取り囲む箇所及び鋼板９の内面には発泡ウレタン等の発泡性樹脂材料が現場吹き付けされて断熱層１７が形成されている。【００２５】  上記のように構成された第１実施形態のユニット式金属製地下納骨堂によれば、以下のような効果を奏する。
即ち、従来地表面上に構築されていた納骨堂躯体Ａが地下部に構築されるため、都市部等の寺院等が保有する限られた敷地面積を有効活用して、多数の参拝者のための歩行スペース、待機スペース、駐車スペース等を地上に確保しつつ、非常に大きな容積を持つ納骨堂躯体Ａを確保することができる。これによって、限られた敷地内に非常に多数の尊家の納骨仏壇を収容して護持管理することが可能となる。【００２６】  また、納骨堂躯体Ａが、四季を通じて温度、湿度等の環境変化が非常に少なく安定している地下に構築されるものであるから、地表面上に構築される場合に比べて、冷暖房等の空調に要するエネルギー消費を節減して容積の割にランニングコストを著しく低減することができる。【００２７】  また、前記４種の地下ユニット１〜４をトラック等により建設現場に搬入し、地下部に埋設して互いに接合連結するだけの少ない工事手数でよいため、所望容積の納骨堂躯体Ａを短い工期で効率的、経済的に構築することができる。【００２８】  そのうえ、地下に構築された納骨堂躯体Ａには、通常の参拝のための階段室３３，４５のほかに、ドライエリア２１も備えられているため、地下でありながらも、地上の納骨堂と変わらない優れた通風性、採光性並びに開放感を実現できるとともに、このドライエリア２１を緊急時の避難脱出口としても有効に利用することができる。【００２９】  加えて、各地下ユニット１〜４は、それぞれ壁構造体、天井構造体、及び床構造体を工場生産の段階でラーメン構造に構成されているので、地下に埋設した状態で各地下ユニット１〜４に加わる大きな土圧、水圧、さらには地震等による動的荷重等の負荷荷重に対しても十分に耐えるだけの剛性強度を確保し、耐震性及び耐久性に優れた地下納骨堂を得ることができる。【００３０】  さらに、各地下ユニット１〜４における鋼板９の外面部がコンクリート壁６で被覆されているので、芯材鉄骨８や鋼板９の防腐、防錆、水漏れ対策を確実なものとでき、より一層剛性、耐久性を高めることができると同時に、耐浮力性能の向上も図ることができる。【００３１】  しかも、納骨堂躯体Ａを構成する第１〜第４の地下ユニット１〜４がそれぞれ工場において、予め標準寸法、標準形状に各別に生産されるので、敷地の大きさや形態に応じて、４種の地下ユニットを任意に選別し且つ任意の配置で組合せることにより、隣接地等へ悪影響を及ぼすことなく、敷地面積を最大限に有効に活用しながら、実際の敷地の大きさや形態に適合する種々のバリエーションの地下納骨堂躯体を構築することができる。【００３２】  次に、上記した種々のバリエーションの地下納骨堂躯体Ａが得られることを示すために、本発明に係るユニット式金属製地下納骨堂の第２〜第５実施形態について説明する。なお、以下に説明する第２〜５実施形態のユニット式金属製地下納骨堂の躯体Ａを構成する鋼製第１〜第４地下ユニット１〜４の構成要素及び具体構造はそれぞれ、第１実施形態で説明したものと全く同一であるため、それらについての詳細な説明は省略するとともに、図面についてもそれぞれ概略的な横断平面図で示す。【００３３】＜第２実施形態＞
第２実施形態のユニット式鋼製地下納骨堂は、工場において各別に所定の形状に組立て生産された二つの鋼製第１地下ユニット１，１、鋼製第２地下ユニット２、及び鋼製第３地下ユニット３の３種の鋼製地下ユニットを選択し、これら選択した３種の鋼製地下ユニットを、例えばトラック輸送により、寺院が保有する敷地等の建設現場に搬入した上、図６に示すように、建設現場を掘削して形成した掘削穴（地下部）内の中央部に二つの第１地下ユニット１，１を配置するとともに、この二つの第１地下ユニット１，１の各外側に第２地下ユニット２及び第３地下ユニット３を配置（埋設）して隣接する地下ユニット同士を相互に接合連結することにより、所望の容積を有する平面視で直線状の地下納骨堂躯体Ａが構築され完工されたものである。つまり、第２実施形態のユニット式鋼製地下納骨堂は、第１実施形態で用いた鋼製第４地下ユニット４を省いたものである。【００３４】  また、第２実施形態では、鋼製第１地下ユニット１を二つ用いたが、敷地に余裕がある場合は、三つ以上の鋼製第１地下ユニット１を直線状に配置して隣接する地下ユニット同士を相互に接合連結するように変形させて構築することも可能である。さらに、第２実施形態では、二つの第１地下ユニット１，１の各外側に第２地下ユニット２及び第３地下ユニット３を配置したが、二つの第１地下ユニット１，１の各外側に共に第２地下ユニット２を配置してもよいし、第３地下ユニット３を配置してもよい。【００３５】＜第３実施形態＞
第３実施形態のユニット式鋼製地下納骨堂は、工場において各別に所定の形状に組立て生産された二つの鋼製第１地下ユニット１，１、鋼製第２地下ユニット２、及び鋼製第４地下ユニット３の３種の鋼製地下ユニットを選択し、これら選択した３種の鋼製地下ユニットを、例えばトラック輸送により、寺院が保有する敷地等の建設現場に搬入した上、図７に示すように、建設現場を掘削して形成した掘削穴（地下部）内の中央部に第４地下ユニット４を配置し、この第４地下ユニット４の両側に二つの第１地下ユニット１，１を配置するとともに、一方の第１地下ユニット１の外側に第２地下ユニット２を配置（埋設）して隣接する地下ユニット同士を相互に接合連結することにより、一端側に緊急ドライエリア２１を備えた所望の容積を有する平面視で直線状の地下納骨堂躯体Ａが構築され完工されたものである。【００３６】  なお、第３実施形態では、鋼製第１地下ユニット１を鋼製第４地下ユニット４の両側に各一つづつ配置したが、各二つ以上配置してもよく、また、鋼製第４地下ユニット４の一方側に一つの鋼製第１地下ユニット１を、他方側に二つ以上の鋼製第１地下ユニット１を直線状に配置して隣接する地下ユニット同士を相互に接合連結するように変形させて構築することも可能である。【００３７】＜第４実施形態＞
第４実施形態のユニット式鋼製地下納骨堂は、工場において各別に所定の形状に組立て生産された四つ鋼製第１地下ユニット１…、四つの鋼製第２地下ユニット２…、及び一つの鋼製第４地下ユニット３の３種の鋼製地下ユニットを選択し、これら選択した３種の鋼製地下ユニットを、例えばトラック輸送により、寺院が保有する敷地等の建設現場に搬入した上、図８に示すように、建設現場を掘削して形成した掘削穴（地下部）内の中央部に第４地下ユニット４を配置し、この第４地下ユニット４の四つの外側面部にそれぞれ第１地下ユニット１…を配置するとともに、各第１地下ユニット１の外側にそれぞれ第２地下ユニット２を配置（埋設）して隣接する地下ユニット同士を相互に接合連結することにより、緊急時の避難脱出口となるドライエリア２１を四つ備え、かつ、大きな容積を有する平面視で十字状の地下納骨堂躯体Ａが構築され完工されたものである。【００３８】＜第５実施形態＞
第５実施形態のユニット式鋼製地下納骨堂は、工場において各別に所定の形状に組立て生産された既述の鋼製第１地下ユニット１と変形第１地下ユニット１´（後述する）、及び鋼製第４地下ユニット４の３種の鋼製地下ユニットを選択し、これら選択した３種の鋼製地下ユニットを、例えばトラック輸送により、寺院が保有する敷地等の建設現場に搬入した上、図９に示すように、建設現場を掘削して形成した掘削穴（地下部）内の中央部に第４地下ユニット４を配置するとともに、この第４地下ユニット４の両側に二つの第１地下ユニット１と変形第１地下ユニット１´を配置（埋設）して隣接する地下ユニット同士を相互に接合連結することにより、所望の容積を有する平面視で直線状の地下納骨堂躯体Ａが構築され完工されたものである。【００３９】  なお、第５実施形態のユニット式鋼製地下納骨堂においては、前記鋼製第４地下ユニット４における天井構造体４１には、出入口部も階段室も形成されてなく、幅方向の一端側に御内陣や御内仏等の荘厳具を設置したり、例えば長椅子など参拝者の休息用具を設置したりするなど多目的に利用可能な多目的ホール４３が形成されていると共に、他端側に流し４８及び強制排水用のポンプ設備４９が設置されている。そして、この鋼製第４地下ユニット４の真上部に下方を望める開口部５４を有する、例えば六角堂等の堂建物５が建立されている。この堂建物５は、元々地上に構築された納骨堂の近傍位置に設置されている、例えば鉄筋コンクリート造りの堂建物をそのまま転用してもよく、また、各地下ユニット１〜４と同様に、芯材鉄骨と鋼板とにより工場で予め製作した鋼製堂建物を建設現場に搬入して第４地下ユニット４の上方地表面上に固定設置してもよい。【００４０】  また、第５実施形態のユニット式鋼製地下納骨堂に用いられる二つの第１地下ユニットのうち、一方の第１地下ユニット１´は、複数個の納骨仏壇収容棚１３の設置空間の一端部側に階段室１８及びこの階段室１８に接続される納骨堂管理人室１９が一体に形成されるように構成された変形第１地下ユニットであり、この変形第１地下ユニット１´を予め準備し選択使用することによって、敷地の大きさや形態に対応可能な納骨堂躯体のバリエーションを一層拡大することができるだけでなく、広大な納骨堂を維持あるいは保安管理したり、多くの参拝者を案内したりするための管理人の常駐も可能で多数の尊家の納骨仏壇の護持管理機能を高めやすい。【００４１】  上記の第１実施形態〜第５実施形態からも明らかなとおり、本発明に係るユニット式鋼製地下納骨堂によれば、工場において予めラーメン構造に生産（製作）されている４種（変形地下ユニット１´を含めると５種）の鋼製第１〜第４地下ユニットを、施主が所有する敷地の大きさや形態等に対応して任意に選択して建設現場に搬入し、地下部に埋設するだけで、隣接地等へ悪影響を及ぼすことなく、敷地面積を最大限に有効に活用しながら、実際の敷地の大きさや形態等に適合する種々のバリエーションの納骨堂躯体を短期間のうちに経済的に、かつ、高耐久性に構築することができる。【００４２】  なお、本発明における鋼製第１地下ユニット１における納骨仏壇収容棚の設置空間及び鋼製第４地下ユニット４の内部空間を広くするために、これら地下ユニット１，４の梁間方向の寸法、即ち、幅を大きくする場合は、図２の仮想線や図９の実線で示すように、それら地下ユニット１，４の内部に、天井構造体と床構造体とを強度的に一体連結する複数の補強用鉄骨柱７０を適宜ピッチに配設することが望ましい。これによって、納骨仏壇収容棚の設置空間及び多目的ホールの一部の容積を犠牲にするだけで、納骨堂躯体全体の耐圧強度を一層高めて耐久性のより一層の向上を図ることができる。
特に、図８に示すように、第１地下ユニット１及び変形第１地下ユニット１´の幅方向の中央部に桁方向に一定ピッチで補強用鉄骨柱７０を配設することが望ましい。【００４３】  また、軟弱地などに構築する場合は、地下納骨堂躯体Ａの沈下や不等沈下を防ぐために、躯体Ａの内部や外部に硬質地盤にまで達する杭７１を打ち込み、これら杭７１に地下納骨堂躯体Ａを固定支持させることが好ましい。
【符号の説明】
【００４４】１  鋼製第１地下ユニット
１´  変形鋼製第１地下ユニット
２  鋼製第２地下ユニット
３  鋼製第３地下ユニット
４  鋼製第４地下ユニット
５  堂建物（六角堂）
６  コンクリート壁
７  埋め戻し掘削土
８  芯材鉄骨
９  鋼板（金属板）
１０，２０，３０，４０  壁構造体
１１，３１，４１  天井構造体
１２，３２，４２  床構造体
１３  納骨仏壇収容棚
１４  歩行通路
２１  ドライエリア
２２  強制排水設備
３３，４５  階段室
３４，４４  出入口部
７０  補強用鉄骨柱
Ａ  地下納骨堂躯体
【図１】
0005532732.tif 000002
【図２】
0005532732.tif 000003
【図３】
0005532732.tif 000004
【図４】
0005532732.tif 000005
【図５】
0005532732.tif 000006
【図６】
0005532732.tif 000007
【図７】
0005532732.tif 000008
【図８】
0005532732.tif 000009
【図９】
0005532732.tif 000010